(57)【要約】      （修正有）【課題】地震災害時用の飲料水として使用できるポリタンク。【解決手段】ポンプとポールタップは、タンクの両蓋に着脱自在に固設できそのタンクは満水にして置く。商用電源から安定化電源を接続したポンプを回すと、タンクの水を使うので水位が下がり、ポールタップのボールも下がると、自動に開口になり水道の蛇口から水がタンクに入り、満水になると、ポールタップのボールが上がり自動的に閉口し水道の水が止まる、ポンプとポールタップが連動している装置である、この繰り返しによって流動水水量は保たれとして飲料水になる、このタンクを包む断熱材で地震用具の貯水ポリタンク。【選択図】図２
0003118105.tif 000002
【実用新案登録請求の範囲】
【請求項１】
地震災害時に水道水をタンクに溜め置き式にして、青こが発生していた従来の方式を、ポンプとポールタップはタンクの両蓋に着脱自在に固設にしてそのタンクは満水にしておく、商用電源から安定化電源を接続したポンプを回すと、タンクの水が排水されて水位が下がり、ポールタップのボールも下がる事で、自動に開口になり水道の蛇口から水がタンクに入り、満水水位になると、ポールタップのボールが上がり、自動的に閉口し水道の水は止まり、ポンプとポールタップが連動している装置で、この繰り返しによって水道水が流動し水量を保ち飲料水とした水である、このタンクを包む断熱材で、被災されて給水車から重い水を楽に持ち運びが出来るショッピングカーを設けた、地震用具の貯水ポリタンク。
【考案の詳細な説明】
【技術分野】
【０００１】  本考案は、地震災害になる前に水道水を飲み水として蓄えるための、貯水タンクに関する。
【背景技術】
【０００２】  都市など人口の多い所で、地震によって水道が遮断され、公共機関、自衛隊などから供給されるまで、三日とシミュレーションされている、災害時の水はいくらあっても足りないと云われているが、従来の白いポリタンクに水を数ヶ月放置して溜めて置くと、青こが発生し飲料水として衛生的に不適切で飲めない欠点があった。【０００３】  従来の装置でタンクから水を出す装置は、ドライセンサー式自動水やり装置＝鉢の土にセンサー刺し、土の水分を検知し細い管で、鉢の花に水を補給する、溜め置き式で水の流動性がない物である。タンクから水を使われている物ではないが、家庭で使われるポンプは、風呂の水を洗濯機に入れて使う物がある。【０００４】  従来の装置で水道からタンクに水を入れる装置は、ポールタップ＝トイレのタンクに水を供給している物がある、洗浄液など使われているため飲料水にならない。それと水位センサーで検知して連動している、水用電磁弁をモーターで開け、水道の蛇口から水をタンクに入れる大型な物がある。【０００５】どれも水道水をタンクに溜めて置いてから園芸用などに使う物と、水道水から直接使う物であった、地震など災害用に、水道水を溜めた物を自動的に流動させて水を使う大型な物はあるが、小型で家庭にも使われるような貯水タンクは見あたらなかった。、
阪神大震災、新潟県中越地震で見られた被災者が重い水タンクを手持ちで運んでいたこれらを欠点とした。
【非特許文献】    ドライセンサー式自動水やり装置。
【考案の開示】
【考案が解決しようとする課題】
【０００６】  本考案は、以上のような従来の欠点に鑑み、地震など災害時に備えの一つとして、重要な水道の水を衛生的に絶え間なく蓄えるために、、風呂の水、車の洗浄水、洗濯水、園芸水などに使い、その水を自動的に交換水量を保たれ蓋の部分の装置を重視し、災害時に水道から飲料水を提供することを目的としている。
【課題を解決するための手段】
【０００７】  上記目的を達成するために、本考案は、水道の蛇口からタンクの両蓋の接続部分は着脱自在に固設している、ポールタップをタンクの中に入れ蓋からホースの接続口を出し、交互に閉めたゴムパッキングとナットで防水し、水道の蛇口からホースでポールタップに繋ぐ、ポンプをタンクの中に入れ蓋からホースと電線の接続口を出し、交互に閉めたゴムパッキングとナットで防水し、そのポンプの電線は安定化電源から商用電源に接続される、タンクを包む断熱材、タンクの水を排出するホースの先は、使用状況で違うのでシャワー口など設けた構成である。
【考案の効果】
【０００８】  以上の説明から明らかなように、本考案にあっては、トイレのポールタップを利用したシステムでポンプを設けた物である、タンクの中の水は流動水にしてはあるが断熱材で包むことで夏場の温度差など水の腐食をなくすようにした。
ポンプを回しタンクの水が上がり下がりでポールタップに連動され、自動的に水道水が出入りする。
長年タンクを使い、水垢で汚れてもタンクの蓋の口が多きので洗浄が出来衛生的に保持できる。
これまでの災害に見られた、給水車から水を受ける際にタンクの水をシッョピングカーの車付きの上に載せて多少でも被災者が疲労を解消されるようにした。
【考案を実施するための最良の形態】
【０００９】  水道の蛇口からタンクの両蓋の接続部分は着脱自在に固接している、ポールタップをタンクの中に入れ蓋からホースの接続口を出し、交互に閉めたゴムパッキングとナットで防水し、水道の蛇口からホースでポールタップに繋ぐ、ポンプをタンクの中に入れ蓋からホースと電線の接続口を出し、交互に閉めたゴムパッキングとナットで防水し、そのポンプの電線は安定化電源から商用電源に接続される、これにタンクを包む断熱材を設けた構成されている。
【実施例】
【００１０】  タンクの水を使うセットし終えたて、、ポンプを回すと洗濯の水に、園芸用水など使うことによって、タンクの水位が下がり、ポールタップのボールが下がると自動に開口になり水道の蛇口から水がタンクに入り、満水になると、ポールタップのボールが上がり自動的に閉口し水道の水が止まる。
ポンプとポールタップが連動している装置で、この繰り返しによって流動水として水量は保たれ飲料水になる。ポンプから排水されるホースの先は、風呂の水か車の洗浄水など使用状況で違うがここではシャワー口を設けた、災害時にこのタンクの水を飲料水とする物である。
【産業上の利用可能性】
【００１１】  ホールタップ業界、電気機器業界、タンク製造、販売する産業分野で利用できる。
【図面の簡単な説明】
【００１２】
【図１】本考案の実施のタンクを断熱材で包んだ使用図。
【図２】本考案の実施のタンクと断熱材を断面にした分解図。
【符号の説明】
【００１３】  １，水道水                        ２，蛇口の接続部
３，ポールタップ                  ４，ゴムパッキングとナット
５，商用電源                      ６，安定化電源
７，ポンプ                        ８，ホース
９，シャワー口                  １０，タンク
１１，断熱材                      １２，ショッピングカー
【図１】
0003118105.tif 000003
【図２】
0003118105.tif 000004
【手続補正書】
【提出日】平成17年10月7日(2005.10.7)
【手続補正１】
【補正対象書類名】実用新案登録請求の範囲
【補正対象項目名】全文
【補正方法】変更
【補正の内容】
【実用新案登録請求の範囲】
【請求項１】
商用電源から安定化電源を接続したポンプを回すと、タンクの水が排水されて水位が下がり、ポールタップのボールも下がる事で、自動に開口になり水道の蛇口から水がタンクに入り、満水水位になると、ポールタップのボールが上がり、自動的に閉口し水道の水は止まり、ポンプとポールタップが連動している装置の貯水ポリタンク。